(57)【要約】【課題】扉のこじ開けを速やかにかつ確実に検出するこじ開け判定システムを提供する。【解決手段】建物１０の玄関口１５には、玄関ドア１６とドア枠１７とが設けられている。玄関ドア１６の戸先側面には、玄関ドア１６の開閉を検出する３つの開閉検出センサが設けられている。ドア枠１７には、３つの開閉検出センサそれぞれに対応する３つの磁石がドア枠１７の側面に設けられている。各開閉検出センサは、各磁石による磁束密度に応じて玄関ドア１６の開閉状態を検出する磁気センサである。各開閉検出センサは、玄関ドア１６が閉じられた状態からこじ開けではなく正常に開けられる場合において、玄関ドア１６の開状態の検出タイミングが相違する。この３つの開閉検出センサのうち、２つの開閉検出センサより検出された開閉状態の検出結果の組合せが所定の組合せとは異なる場合、玄関ドア１６がこじ開けされていると判定される。【選択図】      図１
2020105819.tif 000002
【特許請求の範囲】
【請求項１】
開口部に固定される枠体と、前記枠体に支持され、前記開口部を開閉する開閉体と、前記開閉体を施錠する施錠装置とを備える構造体に適用され、前記開閉体のこじ開けを判定するシステムであって、
前記開閉体の開閉状態を互いに離間した位置において検出する第１及び第２の開閉検出手段と、
前記開閉体がこじ開けられているか否かを判定するこじ開け判定手段と、
を備え、
第１及び第２の開閉検出手段は、前記開閉体の戸先が前記枠体から離間又は近接することに伴い、前記第１及び第２の開閉検出手段のそれぞれの位置における開閉状態を検出するセンサであり、
前記こじ開け判定手段は、前記第１及び第２の開閉検出手段による前記開閉体の開閉状態の検出結果の組合せが所定の組合せと異なる場合、前記開閉体がこじ開けされていると判定することを特徴とする、こじ開け判定システム。
【請求項２】
前記開閉体が閉じられた状態からこじ開けではなく正常に開けられる場合において、前記第１の開閉検出手段により検出される前記開閉体の開状態と、前記第２の開閉検出手段により検出される前記開閉体の開状態とは、検出タイミングが異なることを特徴とする、請求項１に記載のこじ開け判定システム。
【請求項３】
前記第１の開閉検出手段は、前記施錠装置付近に設けられ、
前記第２の開閉検出手段は、前記施錠装置から離れた位置に設けられ、
前記開閉体が閉じられた状態からこじ開けではなく正常に開けられる場合において、前記第１の開閉検出手段による前記開閉体の開状態の検出タイミングは、前記第２の開閉検出手段による前記開閉体の開状態の検出タイミングよりも遅いことを特徴とする、請求項１又は２に記載のこじ開け判定システム。
【請求項４】
前記施錠装置は、第１施錠装置と、それより上方に設けられた第２施錠装置とを備え、
前記第１の開閉検出手段は、前記第１施錠装置付近に設けられ、
前記第２の開閉検出手段は、前記第２施錠装置より上方に設けられていることを特徴とする、請求項３に記載のこじ開け判定システム。
【請求項５】
第３の開閉検出手段を更に備え、
前記第３の開閉検出手段は、前記開閉体の戸先が前記枠体から離間又は近接することに伴い、前記第３の開閉検出手段の位置における開閉状態を検出するセンサであり、
前記第３の開閉検出手段は、前記第２施錠装置付近に設けられ、
前記開閉体が閉じられた状態からこじ開けではなく正常に開けられる場合において、前記第３の開閉検出手段による前記開閉体の開状態の検出タイミングは、前記第１及び第２の開閉検出手段による前記開閉体の開状態の検出タイミングよりも遅いことを特徴とする、請求項４に記載のこじ開け判定システム。
【請求項６】
第３の開閉検出手段を更に備え、
前記第３の開閉検出手段は、前記第１施錠装置付近に設けられ、
前記各開閉検出手段は、前記開閉体及び前記枠体の一方に設けられた磁石と、前記開閉体及び前記枠体の他方に設けられた磁気センサとからなり、
前記磁気センサは、前記開閉体の戸先が前記枠体から離間又は近接することによる磁界の変化に基づき、前記各開閉検出手段のそれぞれの位置における開閉状態を検出するものであり、
前記第１の開閉検出手段及び前記第３の開閉検出手段は、前記磁石を共有しており、かつ前記磁気センサの位置を前記開閉体の開閉方向にずらして配置されており、
前記開閉体が閉じられた状態からこじ開けではなく正常に開けられる場合において、前記第３の開閉検出手段による前記開閉体の開状態の検出タイミングは、前記第１及び第２の開閉検出手段による前記開閉体の開状態の検出タイミングよりも遅いことを特徴とする、請求項４に記載のこじ開け判定システム。
【請求項７】
前記各開閉検出手段は、前記開閉体及び前記枠体の一方に設けられた磁石と、前記開閉体及び前記枠体の他方に設けられた磁気センサとからなり、
前記磁気センサは、前記開閉体の戸先が前記枠体から離間又は近接することによる磁界の変化に基づき、前記各開閉検出手段のそれぞれの位置における開閉状態を検出するものであることを特徴とする、請求項１〜５のいずれか１項に記載のこじ開け判定システム。 
【発明の詳細な説明】
【技術分野】
【０００１】
本発明は、こじ開け判定システムに関するものである。
【背景技術】
【０００２】
住宅等の建物においては、開口部に設けられた扉をこじ開けたり、破壊する等により、開口部を開放されて不法侵入されることが多い。このような不法侵入はできるだけ早く検出することが望ましく、開口部における扉のこじ開けや破壊を検知するこじ開け判定システムが提案されている。例えば、特許文献１には、扉が施錠装置により施錠されている場合において、扉と扉枠との間の隙間（以下、隙間）の寸法変化を検出することにより、こじ開けを検出することが提案されている。
【先行技術文献】
【特許文献】
【０００３】
【特許文献１】特開２００９−７４２６７号公報
【発明の概要】
【発明が解決しようとする課題】
【０００４】
しかしながら、例えば、特許文献１の技術においては、隙間の寸法変化を検出する位置がこじ開け位置と異なると、こじ開けの検出が遅れてしまう。また、隙間の寸法変化を検出する位置がこじ開け位置と離れている場合には、こじ開けを検出できないおそれがある。
【０００５】
本発明は、上記事情に鑑みてなされたものであり、扉のこじ開けを速やかにかつ確実に検出するこじ開け判定システムを提供することを目的とする。
【課題を解決するための手段】
【０００６】
前記課題を解決すべく、第１の発明のこじ開け判定システムは、
開口部に固定される枠体と、前記枠体に支持され、前記開口部を開閉する開閉体と、前記開閉体を施錠する施錠装置とを備える構造体に適用され、前記開閉体のこじ開けを判定するシステムであって、
前記開閉体の開閉状態を互いに離間した位置において検出する第１及び第２の開閉検出手段と、
前記開閉体がこじ開けられているか否かを判定するこじ開け判定手段と、
を備え、
第１及び第２の開閉検出手段は、前記開閉体の戸先が前記枠体から離間又は近接することに伴い、前記第１及び第２の開閉検出手段のそれぞれの位置における開閉状態を検出するセンサであり、
前記こじ開け判定手段は、前記第１及び第２の開閉検出手段による前記開閉体の開閉状態の検出結果の組合せが所定の組合せと異なる場合、前記開閉体がこじ開けされていると判定することを特徴とする。
【０００７】
構造体としては、住宅用の建物の他、商業ビル、倉庫、車両、金庫など各種の構造体に適用することができるが、説明の便宜上、以下においては代表例である住宅用の建物を例にして各発明の作用効果を説明する。開閉体は、開閉体の戸先が枠体から離間又は近接する動作を伴うことにより開閉が行われる。第１の発明によれば、第１及び第２の開閉検出手段は、開閉体の戸先が枠体から離間又は近接することに伴い、第１及び第２の開閉検出手段のそれぞれの位置における開閉状態を検出する。この際、開閉体の通常の開閉に伴う開閉体の開閉状態の検出は、第１及び第２の開閉検出手段により所定の順序で検出されるように構成されている。これにより、開閉体の通常の開閉に伴って第１の開閉検出手段により検出される開閉状態と、第２の開閉検出手段により検出される開閉体の開閉状態とが、所定の組合せに限定される。
【０００８】
例えば、第１及び第２の開閉検出手段により検出される開閉状態が同時に切り換わる構成（すなわち、開状態から閉状態又は閉状態から開状態への切換えが第１及び第２の開閉検出手段により同時に検出される構成）を例に説明する。この構成の場合、開閉体の通常の開閉に伴って２つの開閉検出手段により検出される開閉状態は、開状態及び開状態、又は閉状態及び閉状態の組合せのみである。
【０００９】
ここで、住宅用の建物においては、デッドボルトを備えた施錠装置が多く用いられる。このような施錠装置は、デッドボルトが開口部側に設けられたデッドボルト挿入部に挿入されて係合構造となることにより施錠状態とされる。建物におけるこじ開けは、この係合構造を破壊することにより行われることが多い。具体的には、枠体と開閉体との隙間にバール等の破壊用道具を差し込み、差し込んだ部分を支点として力を加えて係合構造の破壊が行われる。したがって、開閉体のこじ開けの際には、こじ開けが完了する前（開口部を開放される前）の早い段階で、こじ開け部分周辺において開閉体（例えば、開閉体の戸先）及び枠体（例えば、枠体側面）の少なくとも一方（以下、開閉体等）が変形する。この変形により、こじ開け部分周辺においては開閉体の戸先と枠体との距離が変化（例えば、開閉体の戸先が枠体から離間）する。
【００１０】
この場合、まず、こじ開け前の状態においては、２つの開閉検出手段によりともに開閉体の閉状態が検出されている。不審者によりこじ開けがなされると、こじ開け部分により近い位置に設けられた一方の開閉検出手段においては、開閉体の戸先側面と枠体との距離の変化により、開閉状態を閉状態から開状態へと切り換える。この際、こじ開け部分から離れた位置においては開閉体等の変形がない又は少なくなるため、開閉体の戸先と枠体との距離が変化しない又は変化が小さい。そのため、こじ開け部分から離れた位置に設けられた他方の開閉検出手段においては開閉状態を切り換えず、他方の開閉検出手段により閉状態が継続して検出される。すなわち、こじ開けが完了する前の早い段階において、開閉体等の変形が一部で生じている場合、２つの開閉検出手段により検出される開閉体の開閉状態の検出結果の組合せ（ここでは、開状態及び閉状態の組合せ）が所定の組合せ（ここでは、開状態及び開状態、又は閉状態及び閉状態のいずれかの組合せ）とは異なる事態が生じる。
【００１１】
よって、第１の発明によれば、２つの開閉検出手段により検出される開閉体の開閉状態の検出結果の組合せを評価することにより、開閉体等の変形が一部で生じているか否か、すなわち、こじ開け作業中であるか否かを判定することができる。これにより、開閉体のこじ開けが完了する前に、開閉体のこじ開けを速やかにかつ確実に検出することができる。
【００１２】
第２の発明のこじ開け判定システムは、第１の発明において、前記開閉体が閉じられた状態からこじ開けではなく正常に開けられる場合において、前記第１の開閉検出手段により検出される前記開閉体の開状態と、前記第２の開閉検出手段により検出される前記開閉体の開状態とは、検出タイミングが異なることを特徴とする。
【００１３】
開閉体の建付けが悪かったり、開閉体に物が衝突したりすると、開閉体において局所的又は一時的に変形を伴う場合がある。開閉体が閉じられた状態から開けられる場合において２つの開閉検出手段により開閉体の開状態が同時に検出される構成の場合、開閉体の通常の開閉時にこれらの要因により開状態の検出がずれた場合にもこじ開けされたと判定されてしまい、誤検出が多くなるおそれがある。
【００１４】
第２の発明によれば、開閉体が閉じられた状態からこじ開けではなく正常に開けられる場合において第１及び第２の開閉検出手段による開閉体の開状態の検出が異なるタイミングで検出される。この場合、建付けの悪さ等の誤検出の要因を含めて、第１及び第２の開閉検出手段による開閉体の開状態の検出タイミングを設定できる。これにより、こじ開けの誤検出を減らすことができる。
【００１５】
第３の発明のこじ開け判定システムは、第１又は第２の発明において、
前記第１の開閉検出手段は、前記施錠装置付近に設けられ、
前記第２の開閉検出手段は、前記施錠装置から離れた位置に設けられ、
前記開閉体が閉じられた状態からこじ開けではなく正常に開けられる場合において、前記第１の開閉検出手段による前記開閉体の開状態の検出タイミングは、前記第２の開閉検出手段による前記開閉体の開状態の検出タイミングよりも遅いことを特徴とする。
【００１６】
第３の発明によれば、第１の開閉検出手段はこじ開けされやすい施錠装置付近に配置され、第２の開閉検出手段は施錠装置から離れた位置に配置される。第１の開閉検出手段による開閉体の開状態の検出タイミングは、開閉体が閉じられた状態からこじ開けではなく正常に開けられる場合において、第２の開閉検出手段による開閉体の開状態の検出タイミングよりも遅い。この構成において施錠装置付近でこじ開けがされた場合には、第１の開閉検出手段が第２の開閉検出手段よりも早く開状態を検出することになる。よって、第３の発明によれば、開閉体がこじ開けされている場合において、第１及び第２の開閉検出手段により検出された開閉体の開閉状態の検出結果の組合せが所定の組合せとは異なることが速やかに検出できる。これにより、開閉体のこじ開けが完了する前に、開閉体がこじ開けされていることをさらに速やかにかつさらに確実に検出することができる。
【００１７】
第４の発明のこじ開け判定システムは、第３の発明において、
前記施錠装置は、第１施錠装置と、それより上方に設けられた第２施錠装置とを備え、
前記第１の開閉検出手段は、前記第１施錠装置付近に設けられ、
前記第２の開閉検出手段は、前記第２施錠装置より上方に設けられていることを特徴とする。
【００１８】
一般的に、不審者は、施錠装置が複数設けられている場合、人目を避けるために施錠装置のうち下方側に設けられた施錠装置付近からこじ開けを行うことが多い。第４の発明によれば、第１施錠装置と第２施錠装置とを備えている構造体において、施錠装置のうち下方側に設けられた第１施錠装置付近に第１の開閉検出手段が配置され、その第１の開閉検出手段から離れ、施錠装置のうち上方側に設けられた第２施錠装置よりも上方に第２の開閉検出手段が配置される。よって、第１施錠装置付近でこじ開けがされた場合には、第１の開閉検出手段が第２の開閉検出手段よりも早く開閉体の開状態を検出することになる。すなわち、第４の発明によれば、こじ開けをより早く検出しやすい構成とすることができる。また、この構成においては、第２施錠装置付近からこじ開けされた場合であっても、第１施錠装置付近におけるこじ開けがされた時点で、第１の開閉検出手段が第２の開閉検出手段よりも早く開状態を検出する。
【００１９】
よって、第４の発明によれば、開閉体がこじ開けされている場合において、第１及び第２の開閉検出手段により検出された開閉体の開閉状態の検出結果の組合せが所定の組合せとは異なることが速やかにかつ確実に検出できる。これにより、開閉体のこじ開けが完了する前に、開閉体のこじ開けをさらに速やかに、かつさらに確実に検出できる。
【００２０】
第５の発明のこじ開け判定システムは、第４の発明において、
第３の開閉検出手段を更に備え、
前記第３の開閉検出手段は、前記開閉体の戸先が前記枠体から離間又は近接することに伴い、前記第３の開閉検出手段の位置における開閉状態を検出するセンサであり、
前記第３の開閉検出手段は、前記第２施錠装置付近に設けられ、
前記開閉体が閉じられた状態からこじ開けではなく正常に開けられる場合において、前記第３の開閉検出手段による前記開閉体の開状態の検出タイミングは、前記第１及び第２の開閉検出手段による前記開閉体の開状態の検出タイミングよりも遅いことを特徴とする。
【００２１】
第６の発明のこじ開け判定システムは、第４の発明において、
第３の開閉検出手段を更に備え、
前記第３の開閉検出手段は、前記第１施錠装置付近に設けられ、
前記各開閉検出手段は、前記開閉体及び前記枠体の一方に設けられた磁石と、前記開閉体及び前記枠体の他方に設けられた磁気センサとからなり、
前記磁気センサは、前記開閉体の戸先が前記枠体から離間又は近接することによる磁界の変化に基づき、前記各開閉検出手段のそれぞれの位置における開閉状態を検出するものであり、
前記第１の開閉検出手段及び前記第３の開閉検出手段は、前記磁石を共有しており、かつ前記磁気センサの位置を前記開閉体の開閉方向にずらして配置されており、
前記開閉体が閉じられた状態からこじ開けではなく正常に開けられる場合において、前記第３の開閉検出手段による前記開閉体の開状態の検出タイミングは、前記第１及び第２の開閉検出手段による前記開閉体の開状態の検出タイミングよりも遅いことを特徴とする。
【００２２】
第７の発明のこじ開け判定システムは、第１〜第５の発明のいずれかにおいて、
前記各開閉検出手段は、前記開閉体及び前記枠体の一方に設けられた磁石と、前記開閉体及び前記枠体の他方に設けられた磁気センサとからなり、
前記磁気センサは、前記開閉体の戸先が前記枠体から離間又は近接することによる磁界の変化に基づき、前記各開閉検出手段のそれぞれの位置における開閉状態を検出するものであることを特徴とする。
【００２３】
第５及び第６の発明によれば、第３の開閉検出手段が更に設けられている。第３の開閉検出手段は、開閉体が閉じられた状態からこじ開けではなく正常に開けられる場合において、第１〜第３の開閉検出手段のうちもっとも遅いタイミングで開閉体の開状態を検出する。すなわち、第３の開閉検出手段により、開閉体が閉じられた状態であることを確実に検出することができる。開閉体のこじ開けは開閉体の閉じられている場合に行われるものである。したがって、第３の開閉検出手段により開閉体の開状態を検出した場合は、こじ開けの判定を行なう必要がない。よって、第３の開閉検出手段により開閉体の開閉状況を検出することにより防犯上こじ開けの判定が不要な状況を把握することができる。これにより、このような場合をこじ開けの判定対象から除外することができるため、こじ開けの誤検出を抑制することができる。
【００２４】
第６及び第７の発明によれば、各開閉検出手段は、開閉体及び枠体の一方に設けられた磁石と、開閉体及び枠体の他方に設けられた磁気センサとからなる。磁気センサは、開閉体の戸先が枠体から離間又は近接することによる磁界の変化に基づき、開閉体の開閉状態を検出する。これにより、開閉検出手段によってそれぞれの位置における開閉体の開閉状態を速やかにかつ確実に検出できる。
【００２５】
また、第６の発明によれば、第３の開閉検出手段に対応する磁石は、第１の開閉検出手段に対応する磁石と共用される。この場合、各開閉検出手段に対応して各磁石が設けられる場合と比べて、磁石の個数を削減することができるため、その分コスト低減等の効果を得ることができる。
【図面の簡単な説明】
【００２６】
【図１】玄関周辺を示す平面図。
【図２】一実施形態である開閉検出センサ及び磁石の構成を示す概略図。
【図３】こじ開け判定システムの電気的構成を示す図。
【図４】こじ開け判定処理の処理手順を示すフローチャート。
【図５】開閉検出センサによる玄関ドアの開閉状態の検出について説明する概略図。
【図６】他の実施形態である開閉検出センサ及び磁石の構成を示す概略図。
【発明を実施するための形態】
【００２７】
以下に、本発明を具体化した一実施の形態について図面を参照しつつ説明する。なお、図１は玄関周辺を示す平面図である。
【００２８】
図１に示すように、建物１０には、屋内スペースとして、玄関部１１、廊下１２、居室１３等が設けられている。玄関部１１には、出入口としての玄関口１５が設けられている。この玄関口１５を通じて建物１０への出入りが可能となっている。以下では、玄関口１５の開口方向、玄関口１５の間口方向及び玄関口１５の高さ方向を、開口方向ｄ１、間口方向ｄ２及び高さ方向ｄ３と称する。
【００２９】
玄関口１５には、開閉体としての玄関ドア１６とドア枠１７とが設けられている。玄関ドア１６は、例えば回動式の開き戸からなり、右吊元とされている。この玄関ドア１６により玄関口１５が開閉され、玄関ドア１６を閉じた場合には玄関ドア１６がドア枠１７に収納されるようになっている。以下では、玄関ドア１６を閉鎖する場合に先端となる先端部を玄関ドア１６の戸先と称し、玄関ドア１６を閉状態とした場合にドア枠１７と接する玄関ドア１６の戸先側の側面を玄関ドア１６の戸先側面と称する。
【００３０】
玄関ドア１６（屋内側）には、そのドアの上部側と下部側とに施錠装置２１が２つ取り付けられている。施錠装置２１は通電により施解錠を行う電気錠からなる。施錠装置２１は、建物１０の居住者が携帯する電子キーによって施解錠されるようになっている。以下では、施錠装置２１のうち上方側に設けられた施錠装置２１を「上方側の施錠装置２１」と称し、施錠装置２１のうち下方側に設けられた施錠装置２１を「下方側の施錠装置２１」と称する。下方側の施錠装置２１が第１施錠装置に相当し、上方側の施錠装置２１が第２施錠装置に相当する。
【００３１】
図１に示すように、施錠装置２１は、玄関ドア１６に収納される錠ケース２２と、錠ケース２２に収容され、玄関ドア１６の戸先から突出可能なデッドボルト２３とを備えている。このデッドボルト２３に対応する受孔部２４がドア枠１７（玄関口１５）の側面に設けられている。玄関ドア１６の戸先から施錠装置２１によりデッドボルト２３を突出させて、受孔部２４に挿入することにより、施錠装置２１が施錠される。施錠装置２１によりデッドボルト２３を受孔部２４から抜き出して、デッドボルト２３を錠ケース２２内に収納することにより施錠装置２１が解錠される。すなわち、デッドボルト２３を突出又は収納することにより、施錠装置２１が施錠又は解錠され、玄関ドア１６の開閉が規制又許容される。換言すれば、デッドボルト２３が受孔部２４に挿入されて係合構造となることにより、施錠装置２１が施錠状態とされる。
【００３２】
玄関ドア１６には、屋外側に取っ手としてのドアハンドル１８が設けられ、ドアハンドル１８にはタッチセンサ（図示略）が内蔵されている。タッチセンサは、静電容量式のセンサであり、そのセンサ部分に人が接触したことを検出する。居住者の携帯する電子キーが認証された状態でタッチセンサが人の接触を検出することにより、施錠装置２１が施解錠されるようになっている。
【００３３】
次に、こじ開け判定システムについて説明する。こじ開け判定システムは、玄関ドア１６がこじ開けされているか否かを判定するシステムである。本実施形態では、玄関ドア１６が閉じられている状況において、２つの開閉検出センサによって玄関ドア１６の開閉状態を検出することにより玄関ドア１６のこじ開けを判定する。
【００３４】
図２（ａ）には、玄関ドア１６が開けられた状態の玄関ドア１６周辺の概略図が示されている。図２（ａ）に示すように、玄関ドア１６には、玄関ドア１６の開閉を検出する各開閉検出センサ２６ａ，２７ａ，２８ａが設けられている。詳しくは、各開閉検出センサ２６ａ，２７ａ，２８ａは玄関ドア１６の戸先側面に設けられている。本実施形態では、玄関ドア１６の戸先側面において、開閉検出センサ２６ａは、上方側の施錠装置２１よりも上方側に設けられ、開閉検出センサ２７ａは下方側の施錠装置２１の付近に設けられ、開閉検出センサ２８ａは上方側の施錠装置２１の付近に設けられ、開閉検出センサ２６ａと開閉検出センサ２７ａとの間に設けられている。
【００３５】
ドア枠１７には、各開閉検出センサ２６ａ，２７ａ，２８ａに対応する各磁石２６ｂ，２７ｂ，２８ｂがドア枠１７の側面（玄関ドア１６の戸先側面に対向する面）に設けられている。各磁石２６ｂ，２７ｂ，２８ｂは、例えばマグネットシートで構成され、マグネットシートの面（表面と裏面と）がそれぞれＮ極３１ａとＳ極３１ｂとに着磁されている。各磁石２６ｂ，２７ｂ，２８ｂは、磁極方向が間口方向ｄ２と平行となるように取り付ける。すなわち、マグネットシートの一方の極（例えば、Ｓ極３１ｂ）側をドア枠１７の側面に貼り付けることにより、他方の極（例えば、Ｎ極３１ａ）側が玄関ドア１６の戸先側面に向けて露出し、表面となる。なお、後述の図２（ｂ）、図２（ｃ）では、ドア枠１７を背面から見ているため、便宜上、ドア枠１７に貼り付けられた各磁石２６ｂ，２７ｂ，２８ｂの裏面の極（すなわち、Ｓ極３１ｂ）を示している。
【００３６】
各開閉検出センサ２６ａ，２７ａ，２８ａは、各磁石２６ｂ，２７ｂ，２８ｂによる磁界（磁束密度）の変化に基づき玄関ドア１６の開閉状態を検出する磁気センサ（例えば、磁気スイッチ）である。本実施形態では、各開閉検出センサ２６ａ，２７ａ，２８ａのそれぞれの位置における玄関ドア１６の開閉状態が検出される。開閉検出センサ２７ａ及び磁石２７ｂが第１の位置検出手段に相当し、開閉検出センサ２６ａ及び磁石２６ｂが第２の開閉検出手段に相当し、開閉検出センサ２８ａ及び磁石２８ｂが第３の開閉検出手段に相当する。なお、玄関ドア１６の戸先がドア枠１７から離間又は近接することによる、玄関ドア１６の離間又は近接（開閉）の状態をオン、オフで検出できるセンサであれば、各開閉検出手段として適用可能である。
【００３７】
なお、開閉検出センサ２８ａは、玄関ドア１６を開けた状態から閉める状況において、玄関ドア１６の戸先側面とドア枠１７の側面との間で間口方向ｄ２における重なり合いが生じた場合（すなわち、玄関ドア１６が開閉移行状態となった場合）に「閉状態」と検出する。また、開閉検出センサ２８ａは、玄関ドア１６を閉めた状態から開ける状況において、玄関ドア１６の戸先側面とドア枠１７の側面との間で間口方向ｄ２における重なり合いが解消した場合に「開状態」と検出する。したがって、本実施形態では、開閉検出センサ２８ａは、玄関ドア１６の完全閉状態〜開閉移行状態において「閉状態」と検出するように構成されている。
【００３８】
ここで、図２（ｂ）、図２（ｃ）に基づき、各開閉検出センサ２６ａ，２７ａ，２８ａと各磁石２６ｂ，２７ｂ，２８ｂとが設けられる位置関係について説明する。図２（ｂ）、図２（ｃ）は、図２（ａ）の玄関ドア１６周辺を白抜き矢印Ａの方向から見た図であり、玄関ドア１６周辺の各開閉検出センサ２６ａ，２７ａ，２８ａ及び各磁石２６ｂ，２７ｂ，２８ｂの構成を示す概略図である。図２（ｂ）は玄関ドア１６が開けられた状態であり、図２（ｃ）は玄関ドア１６が閉じられた状態である。なお、図２（ｂ）、図２（ｃ）では、便宜上、各開閉検出センサ２６ａ，２７ａ，２８ａ、各磁石２６ｂ，２７ｂ，２８ｂ以外の構成は省略している。
【００３９】
図２（ｂ）において、ドア枠１７は、その側面を背面から見た図であり、玄関ドア１６は、その戸先側面を正面から見た図である。図２（ｂ）では、玄関ドア１６が開状態とされているため、玄関ドア１６の戸先側面は、ドア枠１７の側面から離れ、玄関ドア１６の戸先側面とドア枠１７の側面との間で間口方向ｄ２における重なり合いがない状態である。すなわち、各開閉検出センサ２６ａ，２７ａ，２８ａは、各磁石２６ｂ，２７ｂ，２８ｂと離れて位置する。この状態から玄関ドア１６を閉じていくと、玄関ドア１６（戸先側面）はドア枠１７の側面と間口方向ｄ２において重なり合いを生じ（以下、開閉移行状態）、その後、玄関ドア１６はドア枠１７に保持される（収納される）（以下、完全閉状態）。図２（ｃ）は、ドア枠１７と玄関ドア１６の戸先側面とが重なり合っており、玄関ドア１６の完全閉状態を示す図である。なお、識別しやすくするため、便宜上、玄関ドア１６の戸先側面及びそこに設けられている各開閉検出センサ２６ａ，２７ａ，２８ａは実線で示す。
【００４０】
図２（ｂ）に示すように、各開閉検出センサ２６ａ，２７ａ，２８ａは、玄関ドア１６の戸先側面に開口方向ｄ１において位置を揃えて取り付けられている。各磁石２６ｂ，２７ｂ，２８ｂは、長尺状であり、ドア枠１７の側面に開口方向ｄ１における屋外側の位置をずらして取り付けられている。詳しくは、ドア枠１７の側面において、各磁石２６ｂ，２７ｂ，２８ｂはサイズが異なっており、開口方向ｄ１における長さが異なっている。各磁石２６ｂ，２７ｂ，２８ｂの長さは、各磁石２６ｂ，２７ｂ，２８ｂの順に長くなる。各磁石２６ｂ，２７ｂ，２８ｂは、開口方向ｄ１において屋内側の位置を揃えて配置されており、これにより開口方向ｄ１において屋外側の位置が相違する。
【００４１】
続いて、こじ開け判定システムの電気的構成について図３に基づいて説明する。図３は、こじ開け判定システムの電気的構成を示す図である。
【００４２】
図３に示すように、こじ開け判定システムは、当該システムを統括管理するコントローラ４０を備える。コントローラ４０は、ＣＰＵ、ＲＯＭ、ＲＡＭ等からなる周知のマイクロコンピュータを含んで構成され、建物１０の屋内側（例えば、玄関周辺の壁面等）に設けられている。
【００４３】
コントローラ４０には、各開閉検出センサ２６ａ，２７ａ，２８ａが接続されている。コントローラ４０には、各開閉検出センサ２６ａ，２７ａ，２８ａから逐次検出結果が入力される。コントローラ４０は、各開閉検出センサ２６ａ，２７ａ，２８ａからの検出結果に基づいて、玄関ドア１６の開閉状態を判定する。コントローラ４０は、各開閉検出センサ２６ａ，２７ａ，２８ａからの検出結果に基づいて、玄関ドア１６がこじ開けられているか否かを判定する。なお、コントローラ４０がこじ開け判定手段に相当する。
【００４４】
コントローラ４０には、各開閉検出センサ２６ａ，２７ａ，２８ａからの検出結果等を記憶する記憶部４１を備えている。記憶部４１には、玄関ドア１６の通常の（こじ開けでない）開閉時において各開閉検出センサ２６ａ，２７ａ，２８ａにより検出される開閉状態の検出順序があらかじめ記憶されている。
【００４５】
コントローラ４０は、こじ開け判定システムの管理を行う管理センタ５０（詳しくは管理センタ５０に設けられたサーバ）とネットワークＮを介して接続されている。コントローラ４０は、管理センタ５０とネットワークＮを介して通信可能とされている。建物１０は、管理センタ５０の管理対象として登録済みであるとする。
【００４６】
次に、コントローラ４０により実行される玄関ドア１６のこじ開け判定処理の内容について説明する。図４は、玄関ドア１６のこじ開け判定に関する制御処理の流れを示すフローチャートである。本処理は、所定の時間周期（例えば、０．５秒）で繰り返し実行される。
【００４７】
まずステップＳ１１にて、開閉検出センサ２８ａによる玄関ドア１６の開閉状態の検出結果に基づき、玄関ドア１６が閉じられた状態であるか否かを判定する。開閉検出センサ２８ａにより玄関ドア１６の閉状態が検出されている場合、すなわち、玄関ドア１６が閉じられた状態である場合には、ステップＳ１２へ進む。開閉検出センサ２８ａにより玄関ドア１６の開状態が検出されている場合、すなわち、玄関ドア１６が開いている状態である場合には、玄関ドア１６が閉じられた状態でないとして本処理を終了する。
【００４８】
続くステップＳ１２では、各開閉検出センサ２６ａ，２７ａにより検出される玄関ドア１６の開閉状態の検出結果の組合せが、所定の組合せであるか否かを判定する。ここでは、各開閉検出センサ２６ａ，２７ａにより検出された玄関ドア１６の開閉状態の検出結果の組合せに基づいて、こじ開けがなされているか否かを判定している。
【００４９】
ここで、玄関ドア１６の通常状態としては、玄関ドア１６の通常の（こじ開けでない）開閉時と、玄関ドア１６が開けられた状態と、玄関ドア１６が閉じられた状態とを含むとする。この玄関ドア１６の通常状態において、各開閉検出センサ２６ａ，２７ａ，２８ａにより検出される玄関ドア１６の開閉状態（切換）を図５（ａ）、図５（ｂ）に基づき説明する。図５（ａ）は、玄関ドア１６の通常状態において、各開閉検出センサ２６ａ，２７ａ，２８ａによる玄関ドア１６の開閉状態の検出結果を説明する概略図であり、図５（ｂ）は、玄関ドア１６の通常状態において、各開閉検出センサ２６ａ，２７ａにより検出される玄関ドア１６の開閉状態の検出結果の組合せを示す図である。
【００５０】
図５（ａ）に示すように、まず、玄関ドア１６が閉じられた状態（玄関ドア１６の完全閉状態）の場合は、各開閉検出センサ２６ａ，２７ａ，２８ａにより玄関ドア１６の閉状態が検出される（Ｄの状態）。また、玄関ドア１６が開けられた状態（玄関ドア１６の開閉移行状態が解消されている状態）の場合は、各開閉検出センサ２６ａ，２７ａ，２８ａにより玄関ドア１６の開状態が検出される（Ａの状態）。そして、玄関ドア１６の開閉時には、各開閉検出センサ２６ａ，２７ａ，２８ａと各磁石２６ｂ，２７ｂ，２８ｂとの位置関係に基づき、玄関ドア１６が開閉移行状態から完全閉状態の間、各開閉検出センサ２６ａ，２７ａ，２８ａにより玄関ドア１６の開閉状態（開状態から閉状態の切換え）がタイミングをずらして検出される。
【００５１】
具体的には、玄関ドア１６が閉じられる場合には、玄関ドア１６が開閉移行状態となった際に開閉検出センサ２８ａにより玄関ドア１６の閉状態がまず最初に検出され（Ａの状態からＢの状態）、その後、開閉検出センサ２７ａ、開閉検出センサ２６ａにより順に玄関ドア１６の閉状態が検出される（Ｃの状態からＤの状態）。玄関ドア１６が閉じられた状態から開けられる場合には、開閉検出センサ２６ａにより玄関ドア１６の開状態がまず最初に検出され（Ｄの状態からＣの状態）、その後、開閉検出センサ２７ａ、開閉検出センサ２８ａにより順に玄関ドア１６の開状態が検出される（Ｂの状態からＡの状態）。
【００５２】
すなわち、本実施形態では、玄関ドア１６の通常状態において、ドア枠１７に対する玄関ドア１６の位置に基づいて各開閉検出センサ２６ａ，２７ａにより検出される玄関ドア１６の開閉状態が異なるタイミングで切り換わる構成とされている。これにより、玄関ドア１６の通常状態（すなわち、Ａ〜Ｄの状態）において、各開閉検出センサ２６ａ，２７ａにより検出される玄関ドア１６の開閉状態の検出結果の組合せは、図５（ｂ）に示す組合せに限定される。
【００５３】
一方、玄関ドア１６の通常状態でない事態が生じている場合として、例えば、玄関ドア１６のこじ開けがなされている場合が考えられる。この玄関ドア１６がこじ開けされている状態（以下、玄関ドア１６の異常状態）において、各開閉検出センサ２６ａ，２７ａ，２８ａにより検出される玄関ドア１６の開閉状態（切換）を図５（ｃ）、図５（ｄ）に基づき説明する。図５（ｃ）は、玄関ドア１６の異常状態において、各開閉検出センサ２６ａ，２７ａ，２８ａにより検出される玄関ドア１６の開閉状態の検出結果の一例を示す概略図であり、図５（ｄ）は、玄関ドア１６の異常状態において、各開閉検出センサ２６ａ，２７ａにより検出される玄関ドア１６の開閉状態の検出結果の組合せを示す図である。
【００５４】
玄関ドア１６がこじ開けされる場合には、不審者は人目を避けるため下方側の施錠装置２１におけるデッドボルト２３と受孔部２４との係合構造をまず破壊しようとすることが多い。この係合構造の破壊によりこじ開けされる場合、こじ開け部分において玄関ドア１６（戸先側面）及びドア枠１７（側面）の少なくとも一方は変形し、ドア枠１７の側面と玄関ドア１６の戸先側面との位置関係（距離）が変化する。これにより、こじ開けが完了する前（玄関口１５を開放される前）の早い段階で、こじ開け部分（下方側の施錠装置２１）付近に配置された開閉検出センサ２７ａは、ドア枠１７に設けられた対応する磁石２７ｂからの磁場の変化に基づき、玄関ドア１６の開閉状態を閉状態から開状態に切り換える。
【００５５】
この段階において、上方側の施錠装置２１はこじ開けされておらず、玄関ドア１６の上方側に配置された開閉検出センサ２６ａ及び上方側の施錠装置２１付近に設けられた開閉検出センサ２８ａにおいては、ドア枠１７に設けられた対応する各磁石２６ｂ，２８ｂからの磁場の変化がない又は小さい。この場合、開閉検出センサ２６ａ，２８ａにより検出される玄関ドア１６の開閉状態は閉状態のまま変化しない。すなわち、開閉検出センサ２６ａ，２８ａにより閉状態が検出されているにもかかわらず、開閉検出センサ２７ａにより開状態が検出されることになる（図５（ｃ）  Ｃ’の状態）。これにより、各開閉検出センサ２６ａ，２７ａにより出力される開閉状態の検出結果の組合せが所定の組合せ（すなわち、図５（ｂ）の表に記載の組合せ）とは相違する状態となる。
【００５６】
以上のように、各開閉検出センサ２６ａ，２７ａにより検出される開閉状態の検出結果の組合せに基づいて、玄関ドア１６及びドア枠１７の少なくとも一方において変形が生じていること、すなわち、玄関ドア１６がこじ開けられていることが推測できる。よって、各開閉検出センサ２６ａ，２７ａにより検出される開閉状態の検出結果の組合せが所定の組合せである場合には、防犯上問題がない玄関ドア１６の通常状態であるため、こじ開けが検出されないとして本処理を終了する。各開閉検出センサ２６ａ，２７ａにより検出される開閉状態の検出結果の組合せが所定の組合せでない場合には、玄関ドア１６の異常状態であるとしてステップＳ１３へ進む。ステップＳ１３では、玄関ドア１６においてこじ開けが検出された（異常状態である）として判定した後、ステップＳ１４へ進む。
【００５７】
ステップＳ１４では、管理センタ５０に建物１０の玄関ドア１６のこじ開けが検出されたことを通知する。通知後、本処理を終了する。
【００５８】
以上、詳述した本実施形態の構成によれば、以下の優れた効果が得られる。
【００５９】
（１）本実施形態によれば、各開閉検出センサ２６ａ，２７ａは、玄関ドア１６の戸先がドア枠１７から離間又は近接することによる磁界の変化に基づき、２つの開閉検出センサ２６ａ，２７ａのそれぞれの位置における玄関ドア１６の開閉状態をそれぞれ検出する。この際、玄関ドア１６の通常の開閉に伴う玄関ドア１６の開閉状態の検出は、各開閉検出センサ２６ａ，２７ａにより所定の順序で検出されるように構成されている。これにより、玄関ドア１６の通常の開閉に伴って開閉検出センサ２６ａにより検出される開閉状態と、開閉検出センサ２７ａにより検出される玄関ドア１６の開閉状態とが、所定の組合せに限定される。本実施形態では、玄関ドア１６を閉じられた状態からこじ開けでなく正常に開けられる場合には、開閉検出センサ２６ａにより玄関ドア１６の開状態が検出され、その後、開閉検出センサ２７ａ、開閉検出センサ２８ａにより順次玄関ドア１６の開状態が検出される。
【００６０】
本実施形態では、下方側の施錠装置２１付近において玄関ドア１６のこじ開けがなされている場合、例えば、その下方側の施錠装置２１に設けられた開閉検出センサ２７ａにおいては、玄関ドア１６等の変形によって玄関ドア１６の戸先側面とドア枠１７との距離が変化したことにより、磁界が変化し玄関ドア１６の開閉状態を閉状態から閉状態へと切り換える。一方、こじ開け部分から離れた位置においては玄関ドア１６等の変形がない又は少なくなるため、開閉検出センサ２６ａにおいては、玄関ドア１６の戸先側面とドア枠１７との距離が変化しない又は変化が小さく（すなわち、磁界の変化がない又は少なく）、玄関ドア１６の開閉状態は切り換わらず、閉状態のままとなる。したがって、こじ開けが完了する前（玄関口１５を開放される前）の早い段階で、２つの開閉検出センサ２６ａ，２７ａにより検出される２カ所における玄関ドア１６の開閉状態の検出結果の組合せは、所定の組合せとは異なる状態が生じる。
【００６１】
よって、本実施形態によれば、２つの開閉検出センサ２６ａ，２７ａにより検出される玄関ドア１６の開閉状態の検出結果の組合せを評価することにより、玄関ドア１６等の変形が一部で生じているか否か、すなわち、こじ開け作業中であるか否かを判定することができる。これにより、玄関ドア１６のこじ開けが完了する前に、玄関ドア１６のこじ開けを速やかにかつ確実に検出することができる。
【００６２】
（２）本実施形態によれば、２つの開閉検出センサ２６ａ，２７ａによる玄関ドア１６の開閉状態の検出結果の組合せのみでこじ開けを検出することができる。この場合、通常において開閉を検出するための開閉検出手段を利用することができる。これにより、こじ開けを検出するための他の装置を別途設ける場合と比べて簡単な構成とすることができ、その分コスト低減等の効果を得ることができる。
【００６３】
（３）玄関ドア１６の建付けが悪かったり、玄関ドア１６に物が衝突したりすると、玄関ドア１６において局所的又は一時的に変形を伴う場合がある。２つの開閉検出センサ２６ａ，２７ａにより開閉が同時に検出される構成の場合、これらの要因により開閉の検出がずれた場合にもこじ開けされたと判定されてしまい、誤検出が多くなるおそれがある。
【００６４】
本実施形態によれば、玄関ドア１６が閉じられた状態からこじ開けでなく正常に開けられる場合において各開閉検出センサ２６ａ，２７ａによる玄関ドア１６の開状態の検出が異なるタイミングで検出される。換言すれば、玄関ドア１６の通常の開閉に伴って各開閉検出センサ２６ａ，２７ａにより検出される開閉状態は、異なるタイミングで開状態から閉状態へと切り換わる。この場合、建付けの悪さ等の誤検出の要因を含めて、各開閉検出センサ２６ａ，２７ａによる玄関ドア１６の開状態の検出タイミングを設定できる。これにより、こじ開けの誤検出を減らすことができる。
【００６５】
（４）本実施形態によれば、開閉検出センサ２７ａは２つの施錠装置２１のうち下方側の施錠装置２１付近に配置され、開閉検出センサ２６ａは２つの施錠装置２１のうち上方側の施錠装置２１よりも上方に配置される。また、本実施形態によれば、玄関ドア１６が閉じられた状態からこじ開けでなく正常に開けられる場合において、開閉検出センサ２７ａによる玄関ドア１６の開状態の検出タイミングは、開閉検出センサ２６ａによる玄関ドア１６の開状態の検出タイミングよりも遅い構成とされている。
【００６６】
一般的に、不審者は、施錠装置２１が複数設けられている場合、人目を避けるために施錠装置２１のうち下方側に設けられた施錠装置２１付近からこじ開けを行うことが多い。本実施形態によれば、下方側の施錠装置２１付近でこじ開けがされた場合には、開閉検出センサ２７ａが開閉検出センサ２６ａよりも早く玄関ドア１６の開状態を検出することになる。また、この構成においては下方側の施錠装置２１付近でこじ開けがされた時点で、開閉検出センサ２７ａが開閉検出センサ２６ａよりも早く開状態を検出することになる。すなわち、上方側の施錠装置２１付近からこじ開けされた場合であっても、施錠装置２１付近におけるこじ開けがされた時点で、開閉検出センサ２７ａが開閉検出センサ２６ａよりも早く開状態を検出する。よって、本実施形態によれば、玄関ドア１６がこじ開けされている場合において、各開閉検出センサ２６ａ，２７ａにより検出された玄関ドア１６の開閉状態の検出結果の組合せが所定の組合せとは異なることが確実に検出できる。これにより、玄関ドア１６のこじ開けが完了する前に、玄関ドア１６のこじ開けをさらに速やかに、かつさらに確実に検出できる。
【００６７】
（５）本実施形態によれば、開閉検出センサ２８ａがさらに設けられている。開閉検出センサ２８ａは、玄関ドア１６が閉じられた状態からこじ開けではなく正常に開けられる場合において、各開閉検出センサ２６ａ，２７ａ，２８ａのうちもっとも遅いタイミングで玄関ドア１６の開状態を検出する。すなわち、開閉検出センサ２８ａにより、玄関ドア１６が閉じられた状態であることを確実に検出することができる。玄関ドア１６のこじ開けは玄関ドア１６の閉じられている場合に行われるものである。したがって、開閉検出センサ２８ａにより開閉体の開状態を検出した場合は、こじ開けの判定を行なう必要がない。よって、開閉検出センサ２８ａにより玄関ドア１６の開閉状況を検出することにより防犯上こじ開けの判定が不要な状況を把握することができる。これにより、このような場合をこじ開けの判定対象から除外することができるため、こじ開けの誤検出を抑制することができる。
【００６８】
本発明は上記実施形態に限らず、例えば次のように実施されてもよい。
【００６９】
（１）上記実施形態では構造体として住宅用である建物１０を対象とするこじ開け判定システムを説明したが、本発明のこじ開け判定システムの適用対象となる構造体は住宅用の建物１０に制限されず、例えば車両、商業ビル、倉庫、金庫等の構造体でもよい。
【００７０】
（２）上記実施形態では、各開閉検出センサ２６ａ，２７ａ，２８ａは、それぞれに対応する各磁石２６ｂ，２７ｂ，２８ｂが設けられる構成とされているが、各開閉検出センサ２６ａ，２７ａ，２８ａごとに対応する磁石を設けなくてもよい。例えば、上記実施形態において、開閉検出センサ２７ａ，２８ａに対応する磁石として、１つの磁石２９ｂを設けてもよい。換言すれば、開閉検出センサ２８ａに対応する磁石は、開閉検出センサ２７ａに対応する磁石と共用できる。この場合の各開閉検出センサ２６ａ，２７ａ，２８ａ及び各磁石２６ｂ，２９ｂの位置関係の概略図を図６（ａ）、図６（ｂ）、図６（ｃ）に示す。図６（ａ）、図６（ｂ）、図６（ｃ）は、それぞれ図２（ａ）、図２（ｂ）、図２（ｃ）と同様の形式で玄関ドア１６周辺の各開閉検出センサ２６ａ，２７ａ，２８ａ及び各磁石２６ｂ，２９ｂの構成を示す概略図である。以下では、上記実施形態との相違点についてのみ説明する。
【００７１】
図６（ａ）に示すように、玄関ドア１６の戸先側面において、開閉検出センサ２８ａは、下方側の施錠装置２１付近に設けられており、開閉検出センサ２７ａの上方に設けられている。ドア枠１７の側面には、各開閉検出センサ２７ａ，２８ａに対応する磁石２９ｂが取り付けられている。
【００７２】
図６（ｂ）に示すように、玄関ドア１６の戸先側面において、開閉検出センサ２６ａ，２８ａは、開口方向ｄ１において同一の位置に取り付けられている。開閉検出センサ２７ａは、開閉検出センサ２６ａ，２８ａとは、開口方向ｄ１における位置をずらして取り付けられている。詳しくは、開閉検出センサ２７ａは、玄関ドア１６の戸先側面の屋外側に寄って取り付けられ、開閉検出センサ２６ａ，２８ａは、玄関ドア１６の戸先側面の中心に取り付けられている。
【００７３】
磁石２６ｂ，２９ｂは、長尺状であり、ドア枠１７の側面に開口方向ｄ１における屋外側の位置をずらして取り付けられている。詳しくは、ドア枠１７の側面において、磁石２７ｂ，２９ｂはサイズが異なっており、磁石２９ｂは開口方向ｄ１及び高さ方向ｄ３において磁石２６ｂよりも長い。磁石２９ｂは、玄関ドア１６が完全閉状態となった場合に、２つの開閉検出センサ２７ａ，２８ａを間口方向ｄ２において包含できるサイズである。磁石２６ｂ，２９ｂは、開口方向ｄ１において屋内側の位置を揃えて配置されており、これにより開口方向ｄ１において屋外側の位置が相違する。磁石２９ｂは、ドア枠１７の側面において屋外側に近接して取り付けられている。
【００７４】
図６（ｂ）のように各開閉検出センサ２６ａ，２７ａ，２８ａ及び各磁石２６ｂ，２９ｂを設けることにより、開閉検出センサ２８ａは、玄関ドア１６が開閉移行状態から完全閉状態となる間、磁石２９ｂと重なり合う。開閉検出センサ２７ａは、開閉移行状態から完全閉状態となる間において、開閉検出センサ２６ａが磁石２６ｂと間口方向ｄ２における重なり合いを生じるよりも早く、磁石２９ｂと間口方向ｄ２における重なり合いを生じる。玄関ドア１６が完全閉状態となった場合は、玄関ドア１６の戸先側面とドア枠１７の側面とが図６（ｃ）のように間口方向ｄ２において重なり合う。
【００７５】
すなわち、この場合、玄関ドア１６の開閉に伴って各開閉検出センサ２６ａ，２７ａ，２８ａにより検出される玄関ドア１６の開閉状態は、上記実施形態と同様の順序で切り換わる。この場合、上記実施形態と同様の効果が得られるだけでなく、上記実施形態と比べて、磁石の個数を削減することができるため、その分コスト低減等の効果を得ることができる。
【００７６】
（３）上記実施形態では、各開閉検出センサ２６ａ，２７ａ，２８ａは玄関ドア１６の戸先側面に設けられ、対応する各磁石２６ｂ，２７ｂ，２８ｂはドア枠１７の側面に設けられているが、これらの設置場所はこれに限定されない。各開閉検出センサ２６ａ，２７ａ，２８ａにより玄関ドア１６の開閉状態が検出できればよいため、例えば、各開閉検出センサ２６ａ，２７ａ，２８ａはドア枠１７の側面に設けられ、対応する各磁石２６ｂ，２７ｂ，２８ｂは玄関ドア１６の戸先側面に設けられていてもよい。また、各開閉検出センサ２６ａ，２７ａの少なくとも一つは下方側の施錠装置２１のデッドボルト２３と受孔部２４との係合構造の付近であるのが好ましいが、各開閉検出センサ２６ａ，２７ａ，２８ａの少なくとも一つは、玄関ドア１６の上側面の戸先側又はドア枠１７の上側面に設けてもよい。この場合、各開閉検出センサ２６ａ，２７ａ，２８ａに対応する各磁石２６ｂ，２７ｂ，２８ｂを、各開閉検出センサ２６ａ，２７ａ，２８ａに対向する面に設ける。
【００７７】
または、玄関ドア１６の正面や背面等に各開閉検出センサ２６ａ，２７ａ，２８ａを設け、対応する各磁石２６ｂ，２７ｂ，２８ｂは、ドア枠１７の側面、屋内側の面、又は屋外側の面や、外壁又は内壁等に設けてもよい。この構成においては、各開閉検出センサ２６ａ，２７ａ及び各磁石２６ｂ，２７ｂを玄関ドア１６内やドア枠１７内に組み込む必要がない。よって、当該構成によれば、簡易的な施工により各開閉検出センサ２６ａ，２７ａ，２８ａ及び各磁石２６ｂ，２７ｂ，２８ｂを取り付けることができ、建物１０や玄関ドア１６の施工時でなくとも後付けすることができる。
【００７８】
（４）上記実施形態では、開閉検出センサ２８ａにより閉状態と検出された場合にこじ開けの判定処理を行う構成としたが、開閉検出センサ２８ａは必須の構成ではない。例えば、施錠装置２１に施解錠検出センサを設け、当該施解錠検出センサにより施錠状態と検出されている場合にこじ開けの判定処理を行う構成としてもよい。施錠装置２１の施錠状態が検出された場合にこじ開けの判定処理を行うことにより、上記実施形態と同様に、こじ開けの誤検出を抑制することができる。
【００７９】
（５）上記実施形態では、上方側の施錠装置２１付近には開閉検出センサ２８ａを設けたが、例えば、上方側の施錠装置２１付近に、開閉検出センサ２７ａ’をさらに設けてもよい。この場合、開閉検出センサ２７ａ’による開閉状態の検出タイミングは、開閉検出センサ２７ａと同一とする。これにより、玄関ドア１６が閉められている状態において、開閉検出センサ２７ａ，２７ａ’による開状態の検出タイミングが開閉検出センサ２６ａによる開状態の検出タイミングより早い場合、玄関ドア１６の異常状態として検出できる。
【００８０】
（６）上記実施形態では、玄関ドア１６は開き戸としたが、玄関ドア１６は引き戸であってもよい。この場合、例えば、下方側の施錠装置２１の付近に開閉検出センサ２７ａを設け、他方の開閉検出センサ２６ａは、玄関ドア１６の上側面の戸先側又はドア枠１７の上側面に設けてもよい。この場合であっても、玄関ドア１６の開閉状態を２つの開閉検出センサ２６ａ，２７ａにより検出することにより、上記実施形態と同様にしてこじ開けの検出ができる。
【符号の説明】
【００８１】
１０…建物、１１…玄関部、１５…開口部としての玄関口、１６…開閉体としての玄関ドア、１７…枠体としてのドア枠、２１…施錠装置、２６ａ…第２の開閉検出手段を構成する開閉検出センサ、２６ｂ…第２の開閉検出手段を構成する磁石、２７ａ…第１の開閉検出手段を構成する開閉検出センサ、２７ｂ…第１の開閉検出手段を構成する磁石、２８ａ…第３の開閉検出手段を構成する開閉検出センサ、２８ｂ…第３の開閉検出手段を構成する磁石、４０…コントローラ。
【図１】
2020105819.tif 000003
【図２】
2020105819.tif 000004
【図３】
2020105819.tif 000005
【図４】
2020105819.tif 000006
【図５】
2020105819.tif 000007
【図６】
2020105819.tif 000008